【事件の表示】
　商願２０１４−２２７６６拒絶査定不服審判事件について，次のとおり審決する。
【結　論】
　本件審判の請求は，成り立たない。
【理　由】
１　本願商標
　本願商標は，別掲１のとおりの構成からなり，第３５類「広告業，インターネット上の広告用スペースの提供，トレーディングスタンプの発行，商品の販売に関する情報の提供，織物及び寝具類の小売又は卸売の業務において行われる顧客に対する便益の提供，被服の小売又は卸売の業務において行われる顧客に対する便益の提供，履物の小売又は卸売の業務において行われる顧客に対する便益の提供，かばん類及び袋物の小売又は卸売の業務において行われる顧客に対する便益の提供，身の回り品の小売又は卸売の業務において行われる顧客に対する便益の提供，宝石箱の小売又は卸売の業務において行われる顧客に対する便益の提供，家具の小売又は卸売の業務において行われる顧客に対する便益の提供，印刷物の小売又は卸売の業務において行われる顧客に対する便益の提供，紙類及び文房具類の小売又は卸売の業務において行われる顧客に対する便益の提供，時計及び眼鏡の小売又は卸売の業務において行われる顧客に対する便益の提供」を指定役務として，平成２６年３月２５日に商標登録出願されたものである。
　　　
２　原査定の理由の要点 
　原査定は，「本願商標は，以下の登録商標（以下「引用商標」という。）と同一又は類似であって，その指定商品と同一又は類似の役務について使用するものであるから，商標法第４条第１項第１１号に該当する。」旨認定，判断し，本願を拒絶したものである。
（１）登録第１５１１３２９号
商　標　：別掲２のとおり
登録出願日：昭和４９年３月４日
設定登録日：昭和５７年４月３０日
指定商品（平成１４年１１月２０日に指定商品の書換登録がされ，同２４年１月１０日に商標権の存続期間の更新登録がされたもの。）：「うちわ，せんす」を含む第２０類，並びに，第４類，第６類，第１０類，第１１類，第１４類，第１６類，第１９類，第２１類，第２４類及び第２７類に属する商標登録原簿記載のとおりの商品
（２）登録第１９７０６７７号
商　標　：別掲２のとおり
登録出願日：昭和４９年３月４日
設定登録日：昭和６２年７月２３日
指定商品（平成１９年２月６日に商標権の存続期間の更新登録がされ，同２０年２月６日に指定商品の書換登録がされたもの。）：「金庫，金属製建具」を含む第６類，「宝石箱」を含む第１４類，「建具（金属製のものを除く。）」を含む第１９類，「シャワー機構を有する洗面化粧棚を含む家具」を含む第２０類，並びに，第１１類，第１６類，第１７類，第２１類，第２２類，第２４類，第２６類，第２７類及び第３１類に属する商標登録原簿記載のとおりの商品
（３）登録第４９６７９７３号
商　標　：別掲３のとおり
登録出願日：平成１７年１１月９日
設定登録日：平成１８年７月７日
指定商品及び指定役務：「金属製建具，金庫，金属製のバックル，つえ用金属製石突き」を含む第６類，「化粧用具，靴ブラシ，靴べら，靴磨き布，軽便靴クリーナー，シューツリー」を含む第２１類，並びに，第１１類及び第３７類に属する商標登録原簿記載のとおりの商品及び役務
（４）登録第５０５１７１８号商標
商　標　：別掲４のとおり
登録出願日：平成１８年１２月４日
設定登録日：平成１９年６月１日
指定商品：「壁紙」を含む第２７類に属する商標登録原簿記載のとおりの商品
（５）登録第５０６０１２６号
商　標　：別掲４のとおり
登録出願日：平成１８年１２月４日
設定登録日：平成１９年７月６日
指定商品：「つけづめ，つけまつ毛」を含む第３類に属する商標登録原簿記載のとおりの商品
（６）登録第５０６２６２０号
商　標　：別掲４のとおり
登録出願日：平成１８年１２月４日
設定登録日：平成１９年７月１３日
指定商品：「紙類」を含む第１６類に属する商標登録原簿記載のとおりの商品
（７）登録第５０７０１３５号
商　標　：別掲４のとおり
登録出願日：平成１８年１２月４日
設定登録日：平成１９年８月１０日
指定商品：「頭飾品」を含む第２６類に属する商標登録原簿記載のとおりの商品
（８）登録第５０７８６９２号
商　標　：別掲４のとおり
登録出願日：平成１８年１２月４日
設定登録日：平成１９年９月２１日
指定商品：「試験紙」を含む第１類に属する商標登録原簿記載のとおりの商品
（９）登録第５０７８６９３号
商　標　：別掲４のとおり
登録出願日：平成１８年１２月４日
設定登録日：平成１９年９月２１日
指定商品：「防虫紙」を含む第５類に属する商標登録原簿記載のとおりの商品
（１０）登録第５０８８２６２号
商　標　：別掲４のとおり
登録出願日：平成１８年１２月４日
設定登録日：平成１９年１１月２日
指定商品：「ひげそり用具入れ，ペディキュアセット，まつ毛カール器，マニキュアセット」を含む第８類に属する商標登録原簿記載のとおりの商品
（１１）登録第５１１２６０９号
商　標　：別掲４のとおり
登録出願日：平成１８年１２月４日
設定登録日：平成２０年２月２２日
指定商品：「耳かき」を含む第１０類に属する商標登録原簿記載のとおりの商品　
（１２）登録第５１１２６１０号
商　標　：別掲４のとおり
登録出願日：平成１８年１２月４日
設定登録日：平成２０年２月２２日
指定商品：「石綿織物，コンデンサーペーパー，石綿紙，バルカンファイバー」を含む第１７類に属する商標登録原簿記載のとおりの商品
（１３）登録第５１１２６１１号
商　標　：別掲４のとおり
登録出願日：平成１８年１２月４日
設定登録日：平成２０年２月２２日
指定商品：「うちわ，せんす，家具」を含む第２０類に属する商標登録原簿記載のとおりの商品
（１４）登録第５１１８９１６号
商　標　：別掲４のとおり
登録出願日：平成１８年１２月４日
設定登録日：平成２０年３月１４日
指定商品：「織物（畳べり地を除く。），布製身の回り品，かや，敷布，布団，布団カバー，布団側，まくらカバー，毛布」を含む第２４類に属する商標登録原簿記載のとおりの商品
（１５）登録第５１１８９２３号
商　標　：別掲４のとおり
登録出願日：平成１９年３月７日
設定登録日：平成２０年３月１４日
指定商品：「化粧用具（「電気式歯ブラシ」を除く。），靴ブラシ，靴べら，靴磨き布，軽便靴クリーナー，シューツリー」を含む第２１類に属する商標登録原簿記載のとおりの商品
（１６）登録第５１３６６９８号
商　標　：別掲４のとおり
登録出願日：平成１８年１２月４日
設定登録日：平成２０年６月６日
指定商品：「建具（金属製のものを除く。）」を含む第１９類に属する商標登録原簿記載のとおりの商品
（１７）登録第５１４６０６７号
商　標　：別掲４のとおり
登録出願日：平成１８年１２月４日
設定登録日：平成２０年６月２７日
指定商品：「金属製建具，金庫，金属製のバックル，つえ用金属製石突き」を含む第６類に属する商標登録原簿記載のとおりの商品
（１８）登録第５２０９２７４号
商　標　：別掲５のとおり
登録出願日：平成１９年６月２２日
設定登録日：平成２１年２月２７日
指定商品：「トレーディングスタンプ・ポイントカード・割引付特典カード・クーポン券の発行・清算及び管理，トレーディングスタンプ・ポイントカード・割引付特典カード・クーポン券の発行・清算及び管理に関する調査・指導・助言及び情報の提供」を含む第３５類に属する商標登録原簿記載のとおりの役務
（１９）登録第５４４９９６０号
商　標　：別掲２のとおり
登録出願日：平成２３年３月１１日
設定登録日：平成２３年１１月１１日
指定商品：「家具，洗面化粧台，化粧棚，タオル棚，花器台」を含む第２０類，「化粧用具（「電気式歯ブラシ」を除く。），浴室用せっけん皿，浴室用せっけん台，浴室用せっけん類入れ，ソープディッシュ，歯ブラシスタンド」を含む第２１類，並びに，第１７類及び第１９類に属する商標登録原簿記載のとおりの商品
（２０）登録第５２６２８２３号
商　標　：「Ｓａｎｅｉ」（標準文字）
登録出願日：平成２１年２月２３日
設定登録日：平成２１年９月４日
指定商品：第２５類「被服（アイマスク，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆いを除く。），ガーター，靴下止め，ズボンつり，バンド，ベルト」
　上記引用商標は，いずれも現に有効に存続しているものである。
　　
３　当審の判断
（１）商標法第４条第１項第１１号該当性について
　ア　本願商標について
　本願商標は，別掲１のとおり，上段に大きく「ｂ」と「ｄ」の欧文字を表し，下段には，これに比べ小さく「ＳＡＮＥＩ」の欧文字を表した構成からなるものである。
　そして，本願商標は，その構成中の「ｂ」と「ｄ」の欧文字部分と，「ＳＡＮＥＩ」の欧文字部分とは，上下に表されていること，文字の大きさ及び書体が相違していることから，視覚上，分離して観察されるといえるものであり，その構成文字全体をもって，特定の観念が生じるとはいい難いことから，観念上，常に一体不可分のものとしてのみ認識されるとみるべき特段の事情も見あたらない。
　そうとすると，本願商標は，「ビーディーサンエイ」の称呼を生ずるほか，その構成中の「ＳＡＮＥＩ」の欧文字部分も，独立して自他役務の識別標識としての機能を果たし得るものであるから，該欧文字部分から「サンエイ」の称呼をも生ずるものである。
　また，「ＳＡＮＥＩ」の欧文字は，特定の意味を有しない造語といえるものであるから，本願商標は，特定の観念を生じないものである。
　イ　引用商標について
　引用商標は，別掲２のとおり，図形と「ＳＡＮ−ＥＩ」，別掲３及び４のとおり，図案化された「ＳＡＮＥＩ」，別掲５のとおりの態様による「ＳＡＮ・ＥＩ」，標準文字で表された「Ｓａｎｅｉ」の各文字からなるものであり，それらの構成各文字から「サンエイ」の称呼を生ずるものである。
　そして，「ＳＡＮＥＩ」及び「Ｓａｎｅｉ」の欧文字は，特定の意味を有しない造語といえるものであるから，特定の観念を生じないものである。
　ウ　本願商標と引用商標との類否について
　本願商標と引用商標との類否について検討するに，本願商標は，上段に「ｂ」と「ｄ」の欧文字を表し，下段に「ＳＡＮＥＩ」の欧文字を表した別掲１のとおりの構成により表してなるのに対し，引用商標は，「ＳＡＮ−ＥＩ」，「ＳＡＮＥＩ」及び「ＳＡＮ・ＥＩ」の各欧文字を別掲２ないし５のとおりの構成により表してなるものと，「Ｓａｎｅｉ」の欧文字を標準文字で表してなるものであるから，構成全体の外観においては相違するものの，本願商標の「ＳＡＮＥＩ」の文字部分と引用商標とは，その綴りを同じくするものであるから，近似した印象を与えるものである。
　そして，称呼においては，本願商標から生ずる「ビーディーサンエイ」の称呼と，引用商標から生ずる「サンエイ」の称呼とは，語頭における「ビーディー」の音の有無において明らかな差異を有するものであるから，互いに聞き誤るおそれはないものであるが，両商標は，「サンエイ」の称呼を同一にするものである。
　次に，観念においては，本願商標と引用商標からは，いずれも特定の観念が生じないものであるから，観念上，比較することができないものである。
　そうとすれば，本願商標と引用商標とは，観念において比較できないとしても，本願商標の「ＳＡＮＥＩ」の欧文字部分は引用商標と外観上近似するものであり，「サンエイ」の称呼を共通にするものであるから，両商標は，類似の商標というのが相当である。
　そして，本願商標は，引用商標の指定商品と，同一又は類似の指定役務に使用をするものである。
　したがって，本願商標は，商標法第４条第１項第１１号に該当する。
（２）請求人の主張について
　請求人は，「本願商標は，『サンエービーディー』の称呼をもって取り引きされている，請求人の商号商標（ロゴ）であり，本願商標から『ＳＡＮＥＩ』の文字部分のみを抽出してなされた判断は誤りである。」旨主張する。
　請求人のホームページである甲第１号証には，その一葉目の左上部分に本願商標が表示されており，「事業内容」には「１　衣料品企画・製造。販売　２　ライセンスブランド事業」の記載があり，請求人の主要ブランドである「ＮＡＴＵＲＡＬ　ＢＥＡＵＴＹ　ＢＡＳＩＣ」，及び「ＢＲＡＮＤ　ＯＵＴＬＩＮＥ」を紹介する頁においても本願商標が表示されている。
　また，甲第１０号証には，本願商標とは異なる構成の「ＳＡＮＥＩ　ｂ　ｄ（「ｂ」と「ｄ」は「ＳＡＮＥＩ」に比べ，大きく表されている。）」が表示されており，その３葉目には，「店舗数」に「２５０店舗」，「営業実績」に「２０１５年２月期」の「売上高」として「３１，４００（百万円）」であることが記載されている。
　しかしながら，請求人は，衣料品を紹介する自身のホームページに本願商標を表示して使用しているものであるが，上記証拠からは，本願商標が「サンエービーディー」の称呼をもって取り引きに資されている事実を確認することができない。
　そして，本願商標が請求人の商号商標であるとしても，その構成態様からは，上段に表された「ｂ」及び「ｄ」の文字部分が先に称呼され，それに続いて下段に表された「ＳＡＮＥＩ」の文字部分が称呼されるものというのが自然であって，常に，下段の「ＳＡＮＥＩ」が先に称呼されるものとすべき事情は見あたらない。
　本願商標は，その構成中の「ＳＡＮＥＩ」の欧文字部分が独立して自他役務の識別標識としての機能を果たし得るものであって，「ＳＡＮＥＩ」の文字部分と引用商標とが類似であることは前記（１）に記載のとおりであるから，請求人の主張は採用することができない。
（３）まとめ
　以上のとおり，本願商標は，商標法第４条第１項第１１号に該当し，登録することができない。
　よって，結論のとおり審決する。